(57)【要約】      （修正有）【課題】額縁の縁辺内部に照明装置を設けることで、現物をそのまま照示することができる額縁を提供する。【解決手段】額縁部１及び箱形状筐体２の二部分からなり、両者は通常の使用時は互いに密着して一体であるが、被照明体２４を該筐体内に収納する際両者は分かれて額縁部側から額縁部に邪魔されずに該被照明体を該筐体の底面に配設出来、立体的な被照明体も自在に展示配設が可能となる。該額縁の中央部天面にはガラスあるいはアクリル等透明板１３が、該箱形状筐体の外周壁面内には光源２６及び場合により着脱可能な透明板がそれぞれ設けられ、両者が一体となって被照明体を照明する。光源からの光は直接的に被照明体を照射するだけでなく、透明板の反射によっても額面中央部までよく照射するようになるため比較的均等な照明効果が得やすい。【選択図】図１
0003159017.tif 000002
【実用新案登録請求の範囲】
【請求項１】
額縁部及び箱形状筐体を主な構成要素とする額縁において、該額縁部の中央部天面にはガラスあるいはアクリル等透明板が、該箱形状筐体の壁面内には光源がそれぞれ設けられ両構成要素は互いに締結、密接されて該箱形状筐体の底面に配設された図画や写真、文書あるいは工作物等被照明体を照明し、かつ両構成要素は自在に締結、密着状態を解除して分離、分割したり蝶番や嵌合部を支点として回転したり摺動して開いたりすることを可能とした照明付き額縁。
【請求項２】
請求項１に述べる照明付き額縁において箱形状筐体の上部天面にガラスあるいはアクリル等透明板を追加してなる照明付き額縁。
【請求項３】
請求項２に述べる照明付き額縁における箱形状筐体のガラスあるいはアクリル等透明板の断面を曲線形状、楔形状あるいは凹凸形状とし導光板あるいは反射板として作用するよう構成させてなる照明付き額縁。
【考案の詳細な説明】
【技術分野】
【０００１】本考案は箱型形状の額縁の縁辺内部に照明装置を持ち、その底面に配設される図画、写真、文書あるいは工作物等被照明体（以下被照明体）を照明する額縁、写真立て、表示板等（以下額縁等）の装置および方式に関するものである。
【背景技術】
【０００２】近年いわゆる「デジタルフォトフレーム」としてデジタルカメラで得たデジタルの写真情報を液晶表示装置で多様に表示する専用機器が商品化され広まりつつある。また写真をフィルムや透明な樹脂板に特別の方法で半透明状態に印刷しその背面からいわゆるバックライト光源で照射する表示装置も普及しているが、下記文献のように図画や写真等の画面が印刷あるいは印画された紙や布等画材の現物をそのまま照明表示する額縁や写真立てのような装置は現時点で市場ではほとんどない。
【実用新案文献】
登録実用新案第３１５４０２２号
【実用新案文献】
実願２００９−００７９４６
【考案の開示】
【０００３】本考案の額縁は、筐体壁面の内部に沿って設けられた光源で該筐体内に装着された被照明体をそのままの状態で額縁部に設けられるガラス等透明な反射板との相互作用で一体的に照明できかつ該額縁部を該筐体と分離、分割もしくは開閉して該被照明体の装着、及び額縁の交換をし得る構造を提供する。
【考案を解決しようとする課題】
【０００４】前述のように額縁は図画等被照明体の表面積に比しその厚みが小さいため被照明体を該額縁筐体の底面中央部に特に加工せず収納、装着しその上面側で比較的内部空間のとれる該筐体の周辺部（縁辺部）内に収納した光源で該被照明体を上面から照射する構成となるが通常はその額縁部と照明機構を内部に収納する筐体部が被照明体を最も均等に照明するよう予め一体的に形成される。このとき被照明体の該筐体底面への収納、装着は該照明用光源系に影響を及ぼさないように、該底面をマド状に空けここにフタを兼ねる別の底面を付加して開閉可能としてここから挿入して収納したり、側面に隙間を設けて挿入、収納したりすることにより行っている。このため被照明体が薄いシートや板状の平面的なものでなく油絵、押し花、パッチワークあるいは人形、模型やレリーフ等の立体性のある対象では該筐体への挿入や収納が困難になるのみならず照明効果を確認しながら配設、装着することはほとんど出来なかった。また額縁部の大きさ、形状、色等デザインも当初の選定状態からの変更が難しく被照明体との整合性を得にくかった。
【課題を解決するための手段】
【０００５】本考案の照明付き額縁は主に額縁部及び箱形状筐体の二部分からなり、両者は通常の使用時は互いに密着して一体であるが、被照明体を該筐体内に収納する際両者は分かれて額縁部側から額縁部に邪魔されずに該被照明体を該筐体の底面に配設出来、前述のような立体的な被照明体も自在に展示配設が可能となる。該額縁の中央部天面にはガラスあるいはアクリル等透明板が、該箱形状筐体の外周壁面内には光源及び場合により着脱可能な前述と同様な透明板がそれぞれ設けられ両者が一体となって被照明体を照明する。光源からの光は直接的に被照明体を照射するだけでなく透明板の反射によっても額面中央部までよく照射するようになるため比較的均等な照明効果が得やすい。また、額縁部は交換可能となるため多様なデザイン性のものが選択できる。
【考案の効果】
【０００６】本考案による額縁は通常の平面的な図画や写真や文書等だけでなく油絵、押し花、パッチワークあるいは人形、模型やレリーフ等の立体性のある対象を被照明体として特に加工を加えなく通常状態のままでほぼ均等な明るさで照明できるため、ほかに同様の用途として業務用の照明付き広告板、展示装置、表示板等にも活用できる。本考案により、飾りたいものや思い出の品を明るく照らしてより美しく演出し見る人に安らぎを与え、また人目をひきたい事物を鮮明に強く訴求でき併せて夜間照明にも利用できる新商品分野の開拓が期待できる。
【実施例】
【０００７】以下、本考案を図１の応用実施例について説明する。図１の左側は本考案による装置の代表例としての照明付き額縁の概略平面図であり、右側はそのＹ−Ｙ側断面図である。本装置の構造は主に該照明付き額縁の額縁部（１）、筐体（２）、該額縁部中央の透明板（１３）、該筐体の底面（２１）の主構造体と該筐体側面（２２）の内面に設けられた照明用の光源（２６）、および照明される被照明体（２４）で構成される。該額縁部（１）の断面は太い実線で、該筐体（２）は通常太さの実線で示す。両者は通常の使用時は図１のように互いに密着しており、同図Ｘ−Ｘ線で示す水平方向中央の線より上半分は該筐体フランジ面（２３）がネジ（３）によって該額縁部（１）の縁辺部の背面（１１）に締結される構成を、下半分は該筐体側面（２２）の外面が該額縁部側面（１２）の内面と嵌めあって結合される構造（嵌合部）をそれぞれ示す。また、後者においては蝶番（ヒンジ）（３１）を用いて締結してもよい。該ネジ（３）を外したり嵌めあいを外したり、場合によっては蝶番（３１）や嵌合部を支点に回転（図示せず）すれば該額縁部（１）と該筐体（２）は分離または分割して開かれる。上記の構造は適宜異なるものを組み合わせて使用してもよく両者を摺動して開閉するもの（図示せず）も含まれる。この際該被照明体（２４）は該筐体（２）の底面（２１）にその上面から照明効果を確認しながら多様な対象を容易に装着設置できる。【０００８】該光源（２６）は蛍光管、冷陰極管（ＣＣＦＬ）あるいはＬＥＤ（発光ダイオード）等で構成され、出射された光は額縁が結合状のとき直接被照明体を照らすと同時に、それ以外の光も該額縁部（１）内中央部に設けられたガラスあるいはアクリル等透明板（１３）で反射され同じく照明に寄与しより明るくなるよう設定される。ここに該被照明体（２４）が図画、写真や文書のようなシート状のものの場合これの周辺を適宜押さえて該筐体底面（２１）に固定装着するための押え板（２５）や該額縁部内で該被照明体（２４）の周辺を飾るマット紙等飾り（１４）を用いるとより効果的な展示照明が可能となる。【０００９】なお、該筐体（２）の上部天面に該筐体側透明板（２７）を着脱可能なように付加すると、該被照明体（２４）の装着設置と照明効果の確認がより容易になり、製造上もこの筐体側だけ単独で照明構造や装着機能の確認が容易になる。また既述のように額縁部（１）は各部の寸法、取り付け方法に互換性をもたせれば適宜交換可能となり照明付き額縁の効能、特長をより発揮させ得る。また、該筐体側透明板（２７）は断面を平面だけでなく楔形あるいは曲面もしくは凹凸を有する形状にして導光板あるいは反射板としての機能を高めより均等で鮮明な照明を実現することも可能である。
【図面の簡単な説明】
【００１０】
【図１】本考案に係る構造の概略平面図及び断面図
【符号の説明】
【００１１】（１）額縁部  （２）筐体  （３）ネジ  （３１）蝶番
（１１）額縁背面  （１２）額縁側面  （１３）透明板  （１４）飾り縁
（２１）筐体底面  （２２）筐体側面  （２３）筐体フランジ面  （２４）被照明体
（２５）押え板  （２６）光源  （２７）筐体側透明板
【図１】
0003159017.tif 000003
【手続補正書】
【提出日】平成22年2月1日(2010.2.1)
【手続補正１】
【補正対象書類名】実用新案登録請求の範囲
【補正対象項目名】請求項２
【補正方法】変更
【補正の内容】
【請求項２】
請求項１に記載する照明付き額縁において箱形状筐体の上部天面にガラスあるいはアクリル等透明板を着脱可能なように追加してなる照明付き額縁。
【手続補正２】
【補正対象書類名】実用新案登録請求の範囲
【補正対象項目名】請求項３
【補正方法】変更
【補正の内容】
【請求項３】
請求項２に記載する照明付き額縁における箱形状筐体のガラスあるいはアクリル等透明板を導光板として作用するよう構成させてなる照明付き額縁。
【手続補正３】
【補正対象書類名】明細書
【補正対象項目名】０００９
【補正方法】変更
【補正の内容】
【０００９】なお、該筐体（２）の上部天面に該筐体側透明板（２７）を着脱可能なように付加すると、該被照明体（２４）の装着設置と照明効果の確認がより容易になり、製造上もこの筐体側だけ単独で照明構造や装着機能の確認が容易になる。また既述のように額縁部（１）は各部の寸法、取り付け方法に互換性をもたせれば適宜交換可能となり照明付き額縁の効能、特長をより発揮させ得る。また、該筐体側透明板（２７）を導光板として機能を高めより均等で鮮明な照明を実現することも可能である。